(57)【要約】      （修正有）【課題】お茶を入れた後、茶葉とお茶を分けてお茶が苦くならないようにするとともに、お茶を保温することができるなど飲み物を入れたての味や温度で供給することができる飲料供給機を提供する。【解決手段】本体１と、該本体１に設けられた支持板１１と、該支持板１１の上に設けられたポット２と、該ポット２の内部に設けられたフィルタ３とを含んでなり、該支持板１１の下方に設けられた保温ポット４と支持板１１の上に設けられたポット２との間にはポット２の水を保温ポット４に注ぐための貫通孔１２が設けられ、該貫通孔１２の底部にはポット内で茶葉などを熱湯に浸す時間を調整する電磁弁５が設けられる。【選択図】図１
2007181606.tif 000002
【特許請求の範囲】
【請求項１】
本体と、
該本体に設けられた支持板と、
該支持板の上に設けられたポットと、
該ポットの内部に設けられたフィルタとを含んでなり、
該支持板の下方に設けられた保温ポットと支持板の上に設けられたポットとの間にはポットの水を保温ポットに注ぐための貫通孔が設けられ、該貫通孔にはポット内で茶葉などを熱湯に浸す時間を調整する電磁弁が設けられることを特徴とする飲料供給機。
【請求項２】
前記本体は底部に保温ポットを置く電熱盤を設けることを特徴とする請求項１に記載する飲料供給機。
【請求項３】
前記本体は冷水管に連接する貯水槽を具えてなり、該冷水管は、電熱盤の底部に当接するとともに、上方に入水量を調整するためにピストン及び単一方向の電磁弁を設けてなり、冷水管は電熱盤の底部を通過した後、熱湯管に連接し、熱湯管の熱湯は注水口からポット内部に注ぎ込まれることを特徴とする請求項１に記載する飲料供給機。
【請求項４】
前記単一方向の電磁弁は、電磁鉄と、電磁鉄の桿体とを含んでなり、コントロールパネルに電気的に接続することを特徴とする請求項３に記載する飲料供給機。
【請求項５】
前記熱湯管と熱湯注水口の間には電磁弁が設けられ、電磁弁の前には注水する水の水温を感知する温度センサーが設けられ、該電磁弁は電磁鉄、電磁鉄の桿体とを含んでなるとともに、コントロールパネルに電気的に接続することを特徴とする請求項３に記載する飲料供給機。
【請求項６】
前記ポットの側面に対向する本体に第１スイッチを設けてなり、該第１スイッチの接触端はポットに当接するとともに、電熱盤に接続することを特徴とする請求項１に記載する飲料供給機。
【請求項７】
前記貫通孔は、支持板の表面に設けられ、ポットの底部に設けられたドリップ口を貫通孔の上に挿入し、貫通孔の底部は保温ポットの上方に位置することを特徴とする請求項１に記載する飲料供給機。
【請求項８】
前記電磁弁は、電磁鉄と、電磁鉄の桿体とを含んでなり、コントロールパネルに電気的に接続することを特徴とする請求項１に記載の飲料供給機。
【請求項９】
前記コントロールパネルは電熱盤の側面に設けることを特徴とする請求項７に記載する飲料供給機。
【請求項１０】
前記保温ポットの側面に対向する本体には第２スイッチが設けられ、第２スイッチの接触端が保温ポットに当接するとともに、コントロールパネルに電気的に接続することを特徴とする請求項１に記載する飲料供給機。
【発明の詳細な説明】
【技術分野】
【０００１】
この発明は、飲料供給機に関し、特にお茶やコーヒーを供給することができる飲料供給機に関する。
【背景技術】
【０００２】
お茶を飲む場合、多くの人は急須と湯飲みが別になった伝統的なお茶の道具でお茶を入れるか、もしくは茶葉を入れた茶漉しをカップの内部にはめ込み、そこにお湯を注いでお茶を入れている。
【０００３】
しかしながら、伝統的なお茶の道具もしくは茶漉し付きカップでお茶を入れる場合、お茶を入れた後、茶葉とお茶を分けることを忘れると、お茶が苦くなり、飲めなくなる。また、お茶を入れた後、茶葉とお茶を分けておいても、すぐに飲まなければお茶が冷めたり、酸化して飲めなくなる。さらに、お茶は市場で数多くの種類が販売されていて種類により茶葉をお湯に浸す時間が異なるため、お茶を入れる人は時間を計りながら、そばについていなければならない。
【発明の開示】
【発明が解決しようとする課題】
【０００４】
この発明は、お茶を入れた後、茶葉とお茶を分けてお茶が苦くならないようにするとともに、お茶を保温することができるなど飲み物を入れたての味や温度で供給することができる飲料供給機を提供することにある。
【課題を解決するための手段】
【０００５】
そこで、本発明者は従来の技術に見られる欠点に鑑みて鋭意研究を重ねた結果、本体と、該本体に設けられた支持板と、該支持板の上に設けられたポットと、該ポットの内部に設けられたフィルタとを含んでなり、該支持板の下方に設けられた保温ポットと支持板の上に設けられたポットとの間にはポットの水を保温ポットに注ぐための貫通孔が設けられ、該貫通孔にはポット内で茶葉などを熱湯に浸す時間を調整する電磁弁が設けるように構成する飲料供給機の構造によって課題を解決できる点に着眼し、かかる知見に基づいて本発明を完成させた。
【０００６】
以下、この発明について具体的に説明する。
請求項１に記載する飲料供給機は、本体と、該本体に設けられた支持板と、該支持板の上に設けられたポットと、該ポットの内部に設けられたフィルタとを含んでなり、該支持板の下方に設けられた保温ポットと支持板の上に設けられたポットとの間にはポットの水を保温ポットに注ぐための貫通孔が設けられ、該貫通孔にはポット内で茶葉などを熱湯に浸す時間を調整する電磁弁が設けられる。
【０００７】
請求項２に記載する飲料供給機は、請求項１における本体が底部に保温ポットを置く電熱盤を設ける。
【０００８】
請求項３に記載する飲料供給機は、請求項１における本体が冷水管に連接する貯水槽を具えてなり、該冷水管は、電熱盤の底部に当接するとともに、上方に入水量を調整するためにピストン及び単一方向の電磁弁を設けてなり、冷水管は電熱盤の底部を通過した後、熱湯管に連接し、熱湯管の熱湯は注水口からポット内部に注ぎ込まれる。
【０００９】
請求項４に記載する飲料供給機は、請求項３における単一方向の電磁弁が、電磁鉄と、電磁鉄の桿体とを含んでなり、コントロールパネルに電気的に接続する。
【００１０】
請求項５に記載する飲料供給機は、請求項３における熱湯管と熱湯注水口の間には電磁弁が設けられ、電磁弁の前には注水する水の水温を感知する温度センサーが設けられ、該電磁弁は電磁鉄、電磁鉄の桿体とを含んでなるとともに、コントロールパネルに電気的に接続する。
【００１１】
請求項６に記載する飲料供給機は、請求項１におけるポットの側面に対向する本体に第１スイッチを設けてなり、該第１スイッチの接触端はポットに当接するとともに、電熱盤に接続する。
【００１２】
請求項７に記載する飲料供給機は、請求項１における貫通孔が、支持板の表面に設けられ、ポットの底部に設けられたドリップ口を貫通孔の上に挿入し、貫通孔の底部は保温ポットの上方に位置する。
【００１３】
請求項８に記載する飲料供給機は、請求項１における電磁弁が、電磁鉄と、電磁鉄の桿体とを含んでなり、コントロールパネルに電気的に接続する。
【００１４】
請求項９に記載する飲料供給機は、請求項７におけるコントロールパネルが電熱盤の側面に設けられる。
【００１５】
請求項１０に記載する飲料供給機は、請求項１における保温ポットの側面に対向する本体には第２スイッチが設けられ、第２スイッチの接触端が保温ポットに当接するとともに、コントロールパネルに電気的に接続する。
【発明の効果】
【００１６】
この発明の飲料供給機は、茶葉やコーヒー豆を引いたパウダーを水に浸す時間、水温、入れるお茶やコーヒーの水量などを調整することができるとともに、お茶やコーヒーを入れた後、茶葉やコーヒーのパウダーと水を分離するため、入れたお茶やコーヒーの味が苦くなることがなく、一定の温度に保温することができるをという効果を有する。
【発明を実施するための最良の形態】
【００１７】
この発明は飲料供給機を提供するものであって、本体と、該本体に設けられた支持板と、該支持板の上に設けられたポットと、該ポットの内部に設けられたフィルタとを含んでなり、該支持板の下方に設けられた保温ポットと支持板の上に設けられたポットとの間にはポットの水を保温ポットに注ぐための貫通孔が設けられ、該貫通孔にはポット内で茶葉などを熱湯に浸す時間を調整する電磁弁が設けるように構成する。
かかる飲料供給機の構造と特徴を詳述するために具体的な実施例を挙げ、図示を参照にして以下に説明する。
【実施例】
【００１８】
図１に開示するように、この発明の飲料供給機は、本体１と、該本体１に設けられた支持板１１と、該支持板１１上に設けられたポット２と、該ポット２の内部に設けられたフィルタ３などを含んでなる。この実施例ではポット２のフィルタ３に茶葉を入れてお茶を供給する。該支持板１１の下方には保温ポット４を設け、該保温ポット４と支持板１１上のポット２の間にはポット２の水を保温ポット４に注ぐための貫通孔１２を設ける。該貫通孔１２にはポット２で茶葉をお湯に浸す時間などを調整する電磁弁５を設ける。
【００１９】
また、該本体１は、底部に保温ポット４を置くために供するために設けられた電熱盤６と、冷水管１４に連接する貯水槽１３とを具えてなる。該冷水管１４は、電熱盤６の底部に当接するとともに、進水量を調整するために便利なように上方にピストン１５及び単一方向の電磁弁７を設けてなる。該単一方向の電磁弁７は、電磁鉄７１と、電磁鉄の桿体７２とを含んでなり、本体１に設けられたコントロールパネル９に電気的に接続する。また、冷水管１４は、電熱盤６の底部を通過した後、熱湯管１６に連接する。該熱湯管１６の熱湯注水口１７は、ポット２の上方の内部に位置し、熱湯管１６と熱湯注水口１７との間には、３方向の開閉を行う電磁弁８が設けられ、該電磁弁８は前方に温度センサー８５が設けられているため、ポット２に注ぐお湯の温度を調整することができる。該電磁弁８は、電磁鉄８１と、電磁鉄の桿体８２とを含んでなり、本体１に設けられたコントロールパネル９に電気的に接続する。
【００２０】
さらに、ポット２の側面に対向する本体１には第１スイッチ１８が設けられている。該第１スイッチ１８の接触端１８１は、ポット２に当接するとともに、電熱盤６に接続する。また、貫通孔１２が支持板１１の表面に設けられ、該ポット２の底部にはドリップ口２１が設けられているため、ポット２のドリップ口２１が貫通孔１２の上方から挿入されて、貫通孔１２の底部が保温ポット４の上方に位置する。また、電磁弁５は、電磁鉄５１と、電磁鉄の桿体５２とを含んでなり、コントロールパネル９に電気的に接続する。該コントロールパネル９は、電熱盤６の側面に設けられ、保温ポット４の側面に対向する本体１には第２スイッチ１９が設けられる。該第２スイッチ１９の接触端１９１は保温ポット４に当接するとともに、コントロールパネル９に電気的に接続する。
【００２１】
ポット２に注ぐ水の水温が低い場合には、電磁弁８の第２注水口８４を閉じ、第１注水口８３を開いて第１注水口８３から貯水槽１３に水を入れて、ピストン１５により水を冷水管１４に進入させる。冷水管１４に進入した水は電熱盤６の底部を通過して加熱された後、再び熱湯管１６に進入して上昇する。このように水を周回して水温を上昇させ、適宜な温度に達した時、第１注水口８３を閉じて第２注水口８４を開き、電磁弁８を調整するとともに、温度センサー８５で適宜な温度を測定し、コントロールパネル９内のＩＣ（集積回路）に信号を伝送して電磁弁８の開閉を決定する。即ち、電磁鉄８１に通電し、電磁鉄の桿体８２を吸引して閉じて電磁弁８の第２注水口８４を開くと、熱湯が熱湯注水口１７からポット２に注ぎ込まれる。
【００２２】
また、水を一定時間加熱する場合には、コントロールパネル９によって単一方向の電磁弁７の電磁鉄７１の通電を調整して電磁鉄の桿体７２を吸引し、単一方向の電磁弁７の注水口７３を閉じる。また、水の流量により閉じる時間を設定して、加熱する水量を調整し、お茶やコーヒーなど入れる飲み物の量を調整する。
【００２３】
ポット２と保温ポット４の間には、電磁弁５が設けられる。図２に開示するように、お茶などの温かい飲み物を入れた後、電磁弁５の電磁鉄５１に電気を通し、電磁鉄の桿体５２を吸引して移動させて電磁弁５内の注水口５３を開くと、図３に開示するようにポット２と保温ポット４の間が貫通孔１２により貫通されて上方のポット２で入れられたお茶などの温かい飲み物がドリップ口２１から貫通孔１２を通過して下方に設けられた保温ポット４に一滴ずつ落ちてくる。また、電熱盤６で保温するため、お茶などの飲み物は温度が７５℃から８５℃の間に保温されるため、酸化し難くなるとともに、細菌が発生し難くなる。
【００２４】
該電磁弁５の電磁鉄５１は、コントロールパネル９と電気的に接続しているため、コントロールパネル９で茶葉を水に浸す時間などを調整して設定した時間になった時に電磁鉄５１を通電させて電磁弁５を開き、お茶などの飲み物を保温ポット４に落として保温することができる。このように、茶葉をお湯に浸す時間が異なっても、コントロールパネル９により調整することができるため、お茶以外に様々な飲み物を供給することができる。
【００２５】
図４に開示するように、この発明では、安全性を考えてポット２を本体１から取り外す場合、ポット２の側面に当接していた本体１の第１スイッチ１８が作動して電源を切り、電熱盤６が発熱しないようにするとともに、熱湯の注水口１７から熱湯が注水されないようにする。また、保温ポット４を本体１から取り外す場合には、保温ポット４の側面に当接していた本体１の第２スイッチ１９が作動して電源を切るため、電熱盤６が発熱しなくなるとともに、熱湯注水口１７から熱湯を注水しない。同時に電磁弁５の電磁鉄５１は通電しない状態になり、電磁鉄の桿体５２が自然に移動するため、電磁弁５の注水口５３が開かない。即ち、お茶などの飲み物が流出することがない。さらに、貯水槽１３の下方にはスイッチ１０が設けられているため、貯水槽１３を本体１から取り外す場合、本体１が断電される。
【００２６】
図５に、この発明の他の実施例を開示する。図面によると、この発明をコーヒーを供給するために使用する場合、前述の本体１と、ポット２と、保温ポット４と、電磁弁５と、コントロールパネル９と、フィルタ３などの他に、冷却ポット２０を加える。コーヒー３０をポット２で入れた後、コントロールパネル９で電磁弁５を調整して左右に設けられた２つの電磁鉄５１の内の一方に電気を通して電磁弁５の内の一方の注水口５３を開く。このように、冷たいコーヒーと温かいコーヒーのどちらも好みに応じて供給することができる。
【００２７】
図６に、この発明のその他の実施例を開示する。図面によると、この発明でコーヒーを供給する場合、本体４０と、貯水槽４０１と、保温部４０２と、コントロールパネル４０３と、第１温度センサー４０４と、第２温度センサー４０５と、電熱板４０６と、３方向の開閉を行う電磁弁４０７と、スイッチ４０８と、注水管４０９と、活性炭４１０と、保温用の電熱パッド４１１と、電磁弁４１２と、ポット４１３と、フィルタ４１４と、注水ボタン４１５と、ベース４１６とを含んでなる。
【００２８】
該貯水槽４０１の水は電熱板４０６により加熱された後、注水管４０９を通過して電磁弁４０７に達する。該電磁弁４０７は注水口から水が回流するように開発されているため、熱湯は回流して貯水槽４０１に達する。水が何周か回流して水の温度が適宜な温度に達した時、第２温度センサー４０５が水温を感知してコントロールパネル４０３に信号を送信すると、コントロールパネル４０３が作動して電磁弁４０７の注水口が閉じられてポット４１３とフィルタ４１４の注水口が開く。熱湯はポット４１３及びフィルタ４１４に注水され、コーヒー豆がパウダー状になったものを一定時間お湯で浸した後、コントロールパネル４０３が作動して電磁弁４１２が開かれて、コーヒー３０が保温部４０２に注がれる。保温ポットは電熱パッド４１１によりコーヒー３０の温度を一定に保つ。この実施例では、コントロールパネル４０３と電磁弁４１２の構造を応用して注水量、コーヒーパウダーをお湯に浸す時間、お湯の温度の上昇などを調整する。使用者は本体４０をベース４１６から取り外して注水ボタン４１５を押すと、コーヒー３０を入れることができる。本体４０とベース４１６を分離する場合にはスイッチ４０８が作動するため、ベース４１６は断電されて安全である。
【００２９】
図７、図８、図９に開示するように、この発明では異なる電磁弁５により供給機の水を回流させることによる水温の加熱及び上昇、何杯分の注水量にするかの調整及びコーヒーパウダーを熱湯に浸す時間もしくは茶葉を熱湯に浸す時間の調整などを行う。該電磁弁５は、電磁鉄５１、電磁鉄の桿体５２、注水口５３、入水口５４などを含んでなる。
【００３０】
この発明の飲料供給機は、飲み物の製造部にポットを設けて、お茶もしくはコーヒーなどを作ることができる。異なる電磁弁５により注水量、水温、茶葉を熱湯に浸す時間などを調整し、飲み物を入れる人が水量や水温を確認し、茶葉を熱湯に浸す時間を計らなければならないなどの問題を解決した。
【図面の簡単な説明】
【００３１】
【図１】この発明の飲料供給機を示した説明図である。
【図２】図１に開示した飲料供給機の電磁弁の作動前の状態を示した説明図である。
【図３】図２に開示した飲料供給機の電磁弁の作動状態を示した説明図である。
【図４】図１に開示した飲料供給機の断電状態を示した説明図である。
【図５】この発明の飲料供給機の他の実施例を示した断面図である。
【図６】この発明の飲料供給機のその他の実施例を示した断面図である。
【図７】図１に開示した飲料供給機の電磁弁の構造を示した断面図である。
【図８】図１に開示した飲料供給機の電磁弁の構造を示した他の断面図である。
【図９】図１に開示した飲料供給機の電磁弁の構造を示したその他断面図である。
【符号の説明】
【００３２】
１      本体
１１    支持板
１２    貫通孔
１３    貯水槽
１４    冷水管
１５    ピストン
１６    熱湯管
１７    熱湯注水口
１８    第１スイッチ
１８１  接触端
１９    第２スイッチ
１９１  接触端
２      ポット
２１    ドリップ口
３      フィルタ
４      保温ポット
５      電磁弁
５１    電磁鉄
５２    桿体
５３    注水口
５４    入水口
６      電熱盤
７      電磁弁
７１    電磁鉄
７２    桿体
７３    注水口
８      電磁弁
８１    電磁鉄
８２    桿体
８３    第１注水口
８４    第２注水口
８５    温度センサー
９      コントロールパネル
１０    スイッチ
２０    冷却ポット
３０    コーヒー
４０    本体
４０１  貯水槽
４０２  保温部
４０３  コントロールパネル
４０４  第１温度センサー
４０５  第２温度センサー
４０６  電熱板
４０７  電磁弁
４０８  スイッチ
４０９  注水管
４１０  活性炭
４１１  電熱パッド
４１２  電磁弁
４１３  ポット
４１４  フィルタ
４１５  注水ボタン
４１６  ベース
【図１】
2007181606.tif 000003
【図２】
2007181606.tif 000004
【図３】
2007181606.tif 000005
【図４】
2007181606.tif 000006
【図５】
2007181606.tif 000007
【図６】
2007181606.tif 000008
【図７】
2007181606.tif 000009
【図８】
2007181606.tif 000010
【図９】
2007181606.tif 000011